(57)【要約】【課題】本発明は各種音響機器および情報通信機器に使用されるスピーカに関するものであり、耐衝撃性に課題があった。【解決手段】本発明のスピーカは、ヨーク２１にマグネットガイド２８を設けて構成したものである。この構成により、衝撃力が付加されてもマグネットガイドの働きによりヨークとマグネットが脱離し難い構造を構成し、ヨークとマグネットの結合力を向上させることができる。この構成により、耐落下衝撃等に優れた高信頼性のスピーカを実現することができる。【選択図】  図１
2004356976.tif 000002
【特許請求の範囲】
【請求項１】
マグネットとプレートとヨークとにより構成した内磁型の磁気回路と、この内磁型の磁気回路に結合されたフレームと、このフレームの外周部に結合された振動板と、この振動板に結合されるとともに前記磁気回路の磁気ギャップに挿入されたボイスコイルとから構成されたスピーカであって前記ヨークにはマグネットガイドを設けたスピーカ。
【請求項２】
ヨークの底面部が凹状に沈降した形状でマグネットガイドを構成した請求項１記載のスピーカ。
【請求項３】
マグネットガイドはマグネットの内径をガイドすることを特徴とした請求項１記載のスピーカ。
【請求項４】
マグネットガイドは非磁性体から構成された請求項１から請求項３記載のいずれか１つのスピーカ。
【発明の詳細な説明】
【０００１】
【発明の属する技術分野】
本発明は各種音響機器および情報通信機器に使用されるスピーカに関するものである。
【０００２】
【従来の技術】
従来のスピーカについて、図５により説明する。
【０００３】
図５は従来のスピーカの断面図を示したものである。
【０００４】
図５に示すように、マグネットとの結合面が平面状であるヨーク１と、このヨーク１の内側に結合されたマグネット２と、このマグネット２の前記ヨーク１との反対側に結合されたプレート３とにより磁気回路を構成していた。
【０００５】
そして、この磁気回路のヨーク１に結合されたフレーム４と、このフレーム４の外周部に結合された振動板６と、この振動板６に結合されるとともに、その一部が前記磁気回路の磁気ギャップに配置されたボイスコイル５とによりスピーカを構成していた。
【０００６】
なお、この出願の発明に関する先行技術文献情報としては、例えば、特許文献１が知られている。
【０００７】
【特許文献１】
実開昭６３−１５３６９８号公報
【０００８】
【発明が解決しようとする課題】
上述のスピーカは、特に携帯電話等の情報通信機器に使用されることが多く、特に振動や衝撃等の環境信頼性に対する要求が非常に厳しいものであった。
【０００９】
すなわち、携帯電話等のセットに実装された後の落下や振動による衝撃が加わった時、マグネット２とプレート３の荷重により、ヨーク１とマグネット２との間で、剪断或いは剥離方向に力が加わり、脱離が発生し、スピーカの音圧レベル低下や異常音発生、さらには不鳴りが発生するという課題を有するものであった。
【００１０】
本発明は、上記課題を解決するもので、スピーカのマグネットの保持性能を向上させ、耐衝撃性に優れたスピーカを提供するものである。
【００１１】
【課題を解決するための手段】
上記課題を解決するために、本発明は以下の構成を有する。
【００１２】
本発明の請求項１に記載の発明は、ヨークにマグネットガイドを設けてスピーカを構成している。
【００１３】
この構成により、マグネットの保持性能を向上させ、耐衝撃性を向上させることができる。
【００１４】
本発明の請求項２に記載の発明は、ヨークの底面部を凹状に沈降させてマグネットガイドを構成したものである。
【００１５】
この構成により、マグネットガイドを構成したヨークの生産性を向上させることができる。
【００１６】
本発明の請求項３に記載の発明は、マグネットガイドはマグネットの内径をガイドする構成としたものである。
【００１７】
この構成により、スピーカ生産時にマグネットとヨークのマグネットガイドとが接触して鉄粉等が発生しても、磁気ギャップに到達することがないため、ギャップ不良の発生を防止することができる。
【００１８】
本発明の請求項４に記載の発明は、マグネットガイドは非磁性体から構成したものである。
【００１９】
この構成により、マグネットの異極をショートしない構成となるため、マグネットの磁気エネルギーを有効活用することができる。
【００２０】
【発明の実施の形態】
以下、本発明の実施の形態について図面を用いて説明する。
【００２１】
（実施の形態１）
以下実施の形態１を用いて、本発明の請求項１に記載の発明について説明する。
【００２２】
図１は本発明の一実施の形態の磁気回路の断面図を示したものである。
【００２３】
図１に示すようにヨーク２１底部に設けられたマグネットガイド２８はヨーク２１と同材料により構成されたものである。このマグネットガイド２８は少なくともマグネット２２底部の外周を被うように隆起し、従来よりも接合面積を大きく確保し、保持する構成としている。
【００２４】
この構成とすることにより、衝撃力が付加されてもマグネットガイド２８の働きにより脱離し難い構造を構成し、ヨーク２１とマグネット２２の結合力を確保することにより、耐衝撃性に優れた高信頼性のスピーカを実現することができる。尚スピーカの構成については、従来例と同様であり説明を省略する。
【００２５】
（実施の形態２）
以下実施の形態２を用いて、本発明の請求項２に記載の発明について説明する。図２は本発明の一実施の形態の磁気回路の断面図を示したものである。
【００２６】
図２に示すようにマグネットガイド２９はヨーク２１Ａと同材料により構成されたものである。このマグネットガイド２９はヨークの底面部を凹状に沈降した形状にすることで従来よりも接合面積を大きく確保し、保持する構成としている。
【００２７】
この構成とすることにより、マグネットガイド２９を構成したヨーク２１Ａの生産性を向上させることができる。よって耐衝撃性に優れたスピーカを安価に提供することが可能となる。
【００２８】
（実施の形態３）
以下実施の形態３を用いて、本発明の請求項３に記載の発明について説明する。図３は本発明の本発明の一実施の形態の磁気回路の断面図を示したものである。
【００２９】
図３に示すようにマグネットガイド３０はヨークと同材料により構成されたものである。このマグネットガイド３０は隆起しており、マグネット２２Ａの形状が図３に示すように中心部に貫通孔、或いは凹状の孔を備えたマグネット２２Ａの内周部をマグネットガイド３０で保持する構成としている。
【００３０】
この構成とすることにより、スピーカ生産時にマグネット２２Ａとヨークのマグネットガイド３０とが接触して鉄粉等が発生しても、マグネット２２Ａの内径側にある鉄粉は磁気ギャップのあるマグネット２２Ａの外径側に到達することがないため、鉄粉によるギャップ不良の発生を防止することができる。
【００３１】
（実施の形態４）
以下実施の形態４を用いて、本発明の請求項４に記載の発明について説明する。図４は本発明の一実施の形態の磁気回路の断面図を示したものである。
【００３２】
図４に示すように、マグネットガイド３１はヨークと別材料である非磁性体により構成されておりヨーク底部の上面から隆起している。そしてこのマグネットガイド３１は図４に示すようにマグネット底部の外周を被うように隆起し接合面積を確保することにより構成している。
【００３３】
この構成とすることにより、非磁性体から構成されたマグネットガイド３１によりマグネット２２の異極をショートしない構成となるため、マグネット２２の磁気エネルギーを有効に活用することができる。
【００３４】
【発明の効果】
以上のように、本発明のスピーカは、ヨークにマグネットガイドを設けて構成したものである。この構成により、衝撃力が付加されてもマグネットガイドの働きによりヨークとマグネットが脱離し難い構造を構成し、ヨークとマグネットの結合力を向上させることができる。
【００３５】
この構成により、耐落下衝撃等に優れた高信頼性のスピーカを実現することができる。
【００３６】
このように本発明はヨークとマグネット間の結合力を強化し、耐衝撃性に優れたスピーカを提供することができ、その工業的価値は非常に大なるものである。
【図面の簡単な説明】
【図１】本発明の一実施の形態におけるスピーカの断面図
【図２】本発明の一実施の形態における磁気回路の断面図
【図３】本発明の一実施の形態における磁気回路の断面図
【図４】本発明の一実施の形態における磁気回路の断面図
【図５】従来のスピーカの断面図
【符号の説明】
２１  ヨーク
２１Ａ  ヨーク
２１Ｂ  ヨーク
２１Ｃ  ヨーク
２２  マグネット
２２Ａ  マグネット
２３  プレート
２８  マグネットガイド
２９  マグネットガイド
３０  マグネットガイド
３１  マグネットガイド
【図１】
2004356976.tif 000003
【図２】
2004356976.tif 000004
【図３】
2004356976.tif 000005
【図４】
2004356976.tif 000006
【図５】
2004356976.tif 000007